(57)【要約】【課題】故障検出回路を設けることなく、光源アレイを構成する複数の光源の点灯状態を検出し、検出した光源の点灯状態に基づいて点灯制御を行うことが可能な投写型映像表示装置を提供することを目的とする。【解決手段】投写型映像表示装置１は、光源制御部３０と、光量検出センサ１４とを備えている。光源制御部３０は、各ＬＥＤアレイ４０Ｒ，４０Ｇ，４０Ｂを構成する複数のＬＥＤ５０ａ〜５０ｆについて順次消灯させるように電流を制御し、光量検出センサ１４を用いて複数のＬＥＤ５０ａ〜５０ｆについての消灯の前後で出力光量の変化を検出することで、各ＬＥＤの点灯異常を検出し、点灯異常が検出されたＬＥＤへの電流の供給を遮断するように制御する。【選択図】図１
2014211461.tif 000002
【特許請求の範囲】
【請求項１】
複数の光源でそれぞれが構成された複数の光源アレイから出射された光について、映像信号に応じて変調した映像光を投写する投写型映像表示装置であって、
前記光源アレイを構成する複数の光源に供給する電流の制御を含む前記複数の光源に対する制御を行う制御部と、
前記光源アレイからの出力光量を検出する光量検出センサと、
を備え、
前記制御部は、各前記光源アレイを構成する前記複数の光源について順次消灯させるように電流を制御し、前記光量検出センサを用いて前記複数の光源についての消灯の前後で出力光量の変化を検出することで、各前記光源の点灯異常を検出し、点灯異常が検出された光源への電流の供給を遮断するように制御する、投写型映像表示装置。
【請求項２】
複数の光源でそれぞれが構成された複数の光源アレイから出射された光について、映像信号に応じて変調した映像光を投写する投写型映像表示装置であって、
前記光源アレイを構成する複数の光源に供給する電流の制御を含む前記複数の光源に対する制御を行う制御部と、
前記光源アレイからの出力光量を検出する光量検出センサと、
を備え、
前記制御部は、前記光量検出センサを用いて出力光量の減少を検出したときに、出力光量の減少が検出された光源アレイを構成する前記複数の光源について順次消灯させるように電流を制御し、前記光量検出センサを用いて前記複数の光源についての消灯の前後で出力光量の変化を検出することで、各前記光源の点灯異常を検出し、点灯異常が検出された光源への電流の供給を遮断するように制御する、投写型映像表示装置。
【請求項３】
前記制御部は、前記複数の光源を順次消灯させるように電流を制御する直前に、当該複数の光源への電流を低減するように制御する、請求項１または請求項２記載の投写型映像表示装置。
【発明の詳細な説明】
【技術分野】
【０００１】
本発明は、投写型映像表示装置における光源の点灯制御に関するものである。
【背景技術】
【０００２】
従来、光源から出射された照明光を画像信号に基づいて変調、合成してスクリーンに投影することで、スクリーン上に映像表示を行う投写型映像表示装置がある。装置の小型化、低消費電力化および光源の長寿命化の要求の高まりから、従来、光源として使用されていた放電ランプに代わって、ＬＥＤ（Light Emitting Diode：発光ダイオード）が近年広く使用されている。
【０００３】
光源としてＬＥＤを用いた投写型映像表示装置では、例えば、赤色、緑色、青色の３原色の光をそれぞれ発光する３つのＬＥＤから構成される光源からの照明光を、ダイクロイックミラーまたはダイクロイックプリズム等で合成し、ＤＭＤ（Digital Micromirror Device）等の画像表示素子で映像光に変調してカラー映像を投写している。
【０００４】
投写型映像表示装置において光源としてＬＥＤを用いる場合、光源が、１つのＬＥＤで構成されたものと、複数のＬＥＤが配列されたＬＥＤアレイで構成されたものがあるが、ＬＥＤアレイを用いた場合は、ＬＥＤアレイを構成する個々のＬＥＤについて点灯制御を行う必要がある。
【０００５】
例えば、特許文献１には、故障したＬＤ（Laser Diode）アレイにおいて故障したＬＤをユーザに報知する装置が開示され、特許文献２には、光源アレイを構成する光源において、発光効率の悪い光源の点灯制御をすることで投入電力に対する発光効率を向上させる装置が開示されている。
【先行技術文献】
【特許文献】
【０００６】
【特許文献１】特開２００９−２３７４８３号公報
【特許文献２】特開２００９−１６９３４８号公報
【発明の概要】
【発明が解決しようとする課題】
【０００７】
投写型映像表示装置において、例えば１つのＬＥＤアレイが６つのＬＥＤから構成されている場合、駆動回路にＬＥＤの点灯検出機能を搭載することが考えられるが、回路規模および製造コストを考慮すると、６つのＬＥＤが１つの駆動回路に接続されることが多いものと考えられる。６つのＬＥＤが駆動回路に対して直列に接続されると、１つのＬＥＤが故障した場合に全てのＬＥＤが不点灯となるため、６つのＬＥＤと駆動回路は並列に接続されることが望ましい。
【０００８】
並列接続時の短絡故障はＬＥＤと直列に接続された電圧検出抵抗の印加電圧を用いることで容易に故障を検出することができる。また、ＬＥＤに電流制限回路を接続することで短絡故障時にＬＥＤが拡大破損することなく運用を続けることができる。
【０００９】
一方、並列接続時に１つのＬＥＤが開放故障して電流が流れなくなった場合、残りのＬＥＤに印加される電流が増加してしまう。並列接続時の開放故障を検出するためには、ＬＥＤアレイを構成する各々のＬＥＤに対し電流検出回路が必要となるため、回路規模が大きくなり製造コストも増加する。
【００１０】
特許文献１に記載の装置では、壊れたＬＤ（Laser Diode）アレイにおいて壊れたＬＤをユーザに報知するのみであり点灯制御までは考慮されていない。特許文献２に記載の装置では、光源アレイを構成する光源において、発光効率の悪い光源の点灯制御をすることで投入電力に対する発光効率を向上させているが故障検出は行われていない。
【００１１】
そこで、本発明は、故障検出回路を設けることなく、光源アレイを構成する複数の光源の点灯状態を検出し、検出した光源の点灯状態に基づいて点灯制御を行うことが可能な投写型映像表示装置を提供することを目的とする。
【課題を解決するための手段】
【００１２】
本発明に係る投写型映像表示装置は、複数の光源でそれぞれが構成された複数の光源アレイから出射された光について、映像信号に応じて変調した映像光を投写する投写型映像表示装置であって、前記光源アレイを構成する複数の光源に供給する電流の制御を含む前記複数の光源に対する制御を行う制御部と、前記光源アレイからの出力光量を検出する光量検出センサとを備え、前記制御部は、各前記光源アレイを構成する前記複数の光源について順次消灯させるように電流を制御し、前記光量検出センサを用いて前記複数の光源についての消灯の前後で出力光量の変化を検出することで、各前記光源の点灯異常を検出し、点灯異常が検出された光源への電流の供給を遮断するように制御するものである。
【００１３】
本発明に係る別の投写型映像表示装置は、複数の光源でそれぞれが構成された複数の光源アレイから出射された光について、映像信号に応じて変調した映像光を投写する投写型映像表示装置であって、前記光源アレイを構成する複数の光源に供給する電流の制御を含む前記複数の光源に対する制御を行う制御部と、前記光源アレイからの出力光量を検出する光量検出センサとを備え、前記制御部は、前記光量検出センサを用いて出力光量の減少を検出したときに、出力光量の減少が検出された光源アレイを構成する前記複数の光源について順次消灯させるように電流を制御し、前記光量検出センサを用いて前記複数の光源についての消灯の前後で出力光量の変化を検出することで、各前記光源の点灯異常を検出し、点灯異常が検出された光源への電流の供給を遮断するように制御するものである。
【発明の効果】
【００１４】
本発明によれば、制御部は、各光源アレイを構成する複数の光源について順次消灯させるように電流を制御し、光量検出センサを用いて複数の光源についての消灯の前後で出力光量の変化を検出することで、各光源の点灯異常を検出し、点灯異常が検出された光源への電流の供給を遮断するように制御する。
【００１５】
したがって、光源アレイを構成する複数の光源の点灯状態を検出し、検出した光源の点灯状態に基づいて点灯制御を行うことが可能となる。また、輝度補正を行うために通常、搭載されている光量検出センサを活用することで、故障検出回路を新たに設ける必要がない。
【図面の簡単な説明】
【００１６】
【図１】実施の形態１に係る投写型映像表示装置の構成図である。
【図２】ＬＥＤアレイの配置図である。
【図３】ＬＥＤアレイとＬＥＤ駆動回路の接続図である。
【図４】ＬＥＤアレイの点灯異常検出動作のフローチャートである。
【図５】実施の形態２に係る投写型映像表示装置におけるＬＥＤアレイの点灯異常検出動作のフローチャートである。
【発明を実施するための形態】
【００１７】
＜実施の形態１＞
本発明の実施の形態１について、図面を用いて以下に説明する。図１は、実施の形態１に係る投写型映像表示装置１の構成図である。図１に示すように、投写型映像表示装置１は大別すると、光源を有する照明光学系２と、光源制御部３０（制御部）と、照明光学系２から出射される照明光を映像情報に置き換えてスクリーン（図示省略）に投影する投写光学系３から構成されている。
【００１８】
照明光学系２は、光源アレイである赤色ＬＥＤアレイ４０Ｒ、緑色ＬＥＤアレイ４０Ｇおよび青色ＬＥＤアレイ４０Ｂと、コリメータレンズ群７Ｒ，７Ｇ，７Ｂと、ダイクロイックミラー８Ｒ，８Ｇ，８Ｂと、コンデンサーレンズ群９と、ＬＥＤ駆動回路３１Ｒ，３１Ｇ，３１Ｂとを備えている。ＬＥＤアレイ４０Ｒ，４０Ｇ，４０Ｂは、例えば、それぞれ６個（より一般的にはｍ個：ｍは２以上の整数）の光源であるＬＥＤから構成されている。
【００１９】
ＬＥＤ駆動回路３１Ｒ，３１Ｇ，３１Ｂは、光源制御部３０の制御に基づいてＬＥＤアレイ４０Ｒ、４０Ｇ、４０Ｂを駆動する。また、ＬＥＤ駆動回路３１Ｒ，３１Ｇ，３１Ｂは定電流回路であるため、対応する各ＬＥＤアレイ４０Ｒ，４０Ｇ，４０Ｂの消費電流の合計が常に一定になるように制御され、ＬＥＤアレイ４０Ｒ，４０Ｇ，４０Ｂ内で点灯するＬＥＤの個数に関わらず常に同じ電流値になる。例えば、ＬＥＤ駆動回路３１Ｒが１２Ａの電流を供給する場合、ＬＥＤアレイ４０Ｒ内で６つのＬＥＤが点灯するときは各ＬＥＤに２Ａの電流が流れることになり、５つのＬＥＤが点灯するときは各ＬＥＤに２．４Ａの電流が流れることになる。
【００２０】
コリメータレンズ群７Ｒ，７Ｇ，７Ｂは、ＬＥＤアレイ４０Ｒ，４０Ｇ，４０Ｂから時系列的に発光される赤色、緑色、青色の３原色の照明光を略平行に整形する。ダイクロイックミラー８Ｒ，８Ｇ，８Ｂは、略平行に整形された各照明光（各々の光束）を選択して反射または透過させ１つの光路に合成する。コンデンサーレンズ群９は、１つの光路に合成された各照明光を集光し投写光学系３へ出射する。
【００２１】
光源制御部３０は、ＬＥＤアレイ４０Ｒ，４０Ｇ，４０Ｂを構成する複数のＬＥＤに供給する電流の制御を含む複数のＬＥＤに対する制御を行う。より具体的には、光源制御部３０は、ＬＥＤ駆動回路３１Ｒ，３１Ｇ，３１Ｂを制御することで、各ＬＥＤアレイ４０Ｒ，４０Ｇ，４０Ｂ内の複数のＬＥＤに供給する電流を制御し、各ＬＥＤアレイ４０Ｒ，４０Ｇ，４０Ｂの点灯を制御する。また、光源制御部３０は、ＬＥＤの出力光量の変化の検出を行うが、詳細については後述する。
【００２２】
投写光学系３は、インテグレータ素子１０と、リレーレンズ群１１と、内部に全反射面を有するＴＩＲ（Total Internal Reflection）プリズム１２と、ＤＭＤ（画像表示素子）１３と、光量検出センサ１４と、投写レンズ２０とを備えている。
【００２３】
インテグレータ素子１０は、例えばライトトンネルまたはガラスロッドであり、コンデンサーレンズ群９から出射される照明光の照度分布を均一化させてリレーレンズ群１１へ出射する。リレーレンズ群１１は、レンズおよび反射ミラーから構成され、インテグレータ素子１０から出射される赤色、緑色、青色の合成光についてＴＩＲプリズム１２を介してＤＭＤ１３へ伝播させる。
【００２４】
ＤＭＤ１３は、インテグレータ素子１０からリレーレンズ群１１とＴＩＲプリズム１２とを介して出射される照明光を映像光に変調し投写レンズ２０へ出射する。投写レンズ２０は、ＤＭＤ１３から出射される映像光をスクリーンに向けて投影する。
【００２５】
光量検出センサ１４は、通常、輝度補正を行うために投写型映像表示装置に設けられており、映像信号１フレームあたり各色少なくとも１パルス以上の光が照射されることで、出力光量を検出する。光量検出センサ１４を照射する光は、例えば、１フレーム内で映像光に使用されなかった光を利用するなどの方法がある。
【００２６】
ＬＥＤアレイ４０Ｒ，４０Ｇ，４０Ｂは、時系列的に発光しているため、光量検出センサ１４は、赤色、緑色、青色それぞれの出力光量を検出することができる。光量検出センサ１４で検出した各ＬＥＤアレイ４０Ｒ，４０Ｇ，４０Ｂの光量情報は光源制御部３０へ伝達される。
【００２７】
次に、図２と図３を用いて、ＬＥＤアレイ４０Ｒ，４０Ｇ，４０Ｂの点灯異常検出について説明する。図２は、ＬＥＤアレイ４０Ｒの配置図であり、図３は、ＬＥＤアレイ４０ＲとＬＥＤ駆動回路３１Ｒの接続図である。なお、ＬＥＤアレイ４０Ｒ，４０Ｇ，４０Ｂはそれぞれ同じ構成であり、またＬＥＤ駆動回路３１Ｒ，３１Ｇ，３１Ｂもそれぞれ同じ構成であるため、ここでは、ＬＥＤアレイ４０ＲとＬＥＤ駆動回路３１Ｒを用いて説明する。
【００２８】
ＬＥＤアレイ４０Ｒは、複数の光源である６つのＬＥＤ５０ａ〜５０ｆから構成され、ＬＥＤ５０ａ〜５０ｆはそれぞれ並列に接続されている。より具体的には、ＬＥＤ５０ａ〜５０ｆのアノード同士が接続され、ＬＥＤ５０ａ〜５０ｆのカソードには最大電流を制限する電流制限回路３２ａ〜３２ｆと、電圧検出抵抗３３ａ〜３３ｆが接続されている。電圧検出抵抗３３ａ〜３３ｆの一端には、電流制限回路３２ａ〜３２ｆがそれぞれ接続され、電圧検出抵抗３３ａ〜３３ｆの他端には、ＬＥＤ５０ａ〜５０ｆの点灯と消灯とを切り換えるためのスイッチ３４ａ〜３４ｆがそれぞれ接続されている。
【００２９】
ＬＥＤ５０ａ〜５０ｆの短絡故障時に電圧検出抵抗３３ａ〜３３ｆの印加電圧が変化することで、電流制限回路３２ａ〜３２ｆは、故障したＬＥＤを検出し、このＬＥＤに対する電流を制限する。これにより、ＬＥＤ５０ａ〜５０ｆにおいて短絡故障箇所に電流が集中して流れ破損することを防止している。
【００３０】
ＬＥＤ５０ａ〜５０ｆは、それぞれ並列に接続されているため、ＬＥＤ５０ａが短絡故障するとＬＥＤ５０ａ〜５０ｆに印加されていた電流が全て電圧検出抵抗３３ａに流れ、検出電圧が上昇する。検出電圧が閾値を越えると、電流制限回路３２ａが電圧検出抵抗３３ａに印加される電流値が制限される。
【００３１】
光源制御部３０は、ＬＥＤアレイ４０ＲのＬＥＤ５０ａ〜５０ｆについて点灯・消灯を個々に制御することができる。また、光源制御部３０は、ＬＥＤアレイ４０Ｒを構成するＬＥＤ５０ａ〜５０ｆの点灯個数を記憶する記憶領域を有している。
【００３２】
次に、図４を用いて、光源制御部３０が実行するＬＥＤアレイ４０Ｒ，４０Ｇ，４０Ｂの点灯異常検出動作について説明する。図４は、ＬＥＤアレイ４０Ｒ，４０Ｇ，４０Ｂの点灯異常検出動作のフローチャートである。光源制御部３０は、定期的にＬＥＤ５０ａ〜５０ｆの順に消灯させることで、ＬＥＤ５０ａ〜５０ｆの点灯状態を知ることができる。
【００３３】
本実施の形態ではＬＥＤアレイ４０Ｒ，４０Ｇ，４０Ｂはｍ＝６であり、ＬＥＤ５０ａを１番目、ＬＥＤ５０ｂを２番目、・・・ＬＥＤ５０ｆを６番目というように順に番号をつける。光源制御部３０は、色毎に点灯しているＬＥＤの個数ｉ（ｉ：ｍ以下の整数）を記憶している。全てのＬＥＤが点灯しているときはｉ＝ｍとなる。
【００３４】
上記のように、ＬＥＤ５０ａ〜５０ｆは並列に接続されているため、これらのうちの１つを消灯させると、残りのＬＥＤに電流が追加で印加されることになる。そこで光源制御部３０は、点灯異常検出動作を開始すると、対象となる色（例えば赤色）のＬＥＤアレイへの印加電流Ｉｆを（ｉ−１）／ｉ倍へ減少させ（ステップＳ１）、個々のＬＥＤに印加される電流が点灯異常検出動作開始前と同じになるようにする。
【００３５】
次に、光量検出センサ１４はステップＳ１で調整した電流値での出力光量を検出し、光源制御部３０はその値を記憶する（ステップＳ２）。光源制御部３０は、対象となる色のＬＥＤアレイのｎ番目のＬＥＤを消灯させるように電流を制御する（ステップＳ３）。すなわち、光源制御部３０は、ＬＥＤ５０ａ〜５０ｆを順次消灯させるように電流を制御する直前に、当該ＬＥＤ５０ａ〜５０ｆへの電流が減少（低減）するように制御している。ここで、初期状態ではｎ＝１であるため、光源制御部３０は１番目のＬＥＤを消灯させる消灯処理を行う。
【００３６】
光源制御部３０は、光量検出センサ１４の光量情報を用いて出力光量の変化の有無を判定する（ステップＳ４）。ここで、光源制御部３０は、ＬＥＤの消灯の前後で出力光量の変化を判定（検出）することで、当該ＬＥＤの点灯異常を検出する。光源制御部３０は、ＬＥＤの消灯の前後で出力光量が変化したことを判定した場合、すなわち、消灯前の出力光量よりも消灯後の出力光量が減少していると判定した場合は（ステップＳ４においてＹｅｓ）、光源制御部３０は、消灯処理の前において当該ＬＥＤについて点灯していたと判定する。
【００３７】
このとき、光源制御部３０は、点灯しているＬＥＤの個数ｉが点灯最低個数ｌｍｉｎを下回っていないかどうかを判定する（ステップＳ７）。光源制御部３０は、点灯しているＬＥＤの個数ｉが点灯最低個数ｌｍｉｎを下回っていない場合は（ステップＳ７においてＮｏ）、ｎ＝ｍであるかどうかを判定する（ステップＳ８）。ここでは、ｎ＝１、ｍ＝６であるため、光源制御部３０は、ｎ＝ｍではないと判定し（ステップＳ８においてＮｏ）、次（ｎ＋１番目）のＬＥＤを消灯させるため、ｎのカウント値を１だけインクリメント（ｎ＋１）し（ステップＳ９）、ステップＳ３へ戻る。
【００３８】
仮に、出力光量の変化が検出されない場合、すなわち、消灯前の出力光量と消灯後の出力光量が同じである場合は（ステップＳ４においてＮｏ）、光源制御部３０は、消灯処理の前に当該ＬＥＤが故障などの要因で消灯していたと判定し、当該ＬＥＤへの電流供給を遮断する（ステップＳ５）。
【００３９】
次に、点灯しているＬＥＤの個数ｉの値を１だけデクリメント（ｉ−１）する（ステップＳ６）。このとき、光源制御部３０は、点灯しているＬＥＤの個数ｉが点灯最低個数ｌｍｉｎを下回っていないかどうかを判定する（ステップＳ７）。光源制御部３０は、ｉが点灯最低個数ｌｍｉｎを下回っている場合は（ステップＳ７においてＹｅｓ）、ＬＥＤエラーを出力し（ステップＳ１１）、点灯異常検出動作を終了する。
【００４０】
光源制御部３０は、ｉが点灯最低個数ｌｍｉｎを下回っていない場合は（ステップＳ７においてＮｏ）、他に消灯しているＬＥＤがないかどうかを検出するため、ステップＳ８およびステップＳ９を実行してステップＳ３へ戻る。
【００４１】
光源制御部３０は、ステップＳ３〜ステップＳ９をＬＥＤの個数分（ｍ回）繰り返した後、電流値をＩｆ＝Ｉｆ０×ｉ／ｉ０（Ｉｆ０：点灯異常検出動作開始前の電流値、ｉ０：点灯異常検出動作開始時に点灯しているＬＥＤの個数）に設定する（ステップＳ１０）。
【００４２】
すなわち、ＬＥＤの点灯異常が検出されない場合は、ＬＥＤアレイに印加される電流値は、点灯異常検出動作開始前の電流値Ｉｆ０に戻される。ＬＥＤの点灯異常が検出された場合は、光源制御部３０は、故障していないＬＥＤに印加される電流値が点灯異常検出動作開始前と同じになるようにＬＥＤアレイに印加する電流値ＩｆをＩｆ０×ｉ／ｉ０に制御する。なお、故障しているＬＥＤへの電流供給についてはステップＳ５で遮断されている。
【００４３】
光源制御部３０は、赤色のＬＥＤアレイについての点灯異常検出動作を終了し、残りの色（例えば緑色、青色）のＬＥＤアレイについて順次、点灯異常検出動作を実行する。なお、図３においてはＬＥＤの点灯と消灯とを切り換えるためにスイッチ３４ａ〜３４ｆを使用しているが、スイッチ以外の切り換え手段を使用することも可能である。
【００４４】
以上のように、実施の形態１に係る投写型映像表示装置１では、光源制御部３０は、各光源アレイ４０Ｒ，４０Ｇ，４０Ｂを構成する複数の光源５０ａ〜５０ｆについて順次消灯させるように電流を制御し、光量検出センサ１４を用いて複数の光源５０ａ〜５０ｆについての消灯の前後で出力光量の変化を検出することで、各光源の点灯異常を検出し、点灯異常が検出された光源への電流の供給を遮断するように制御する。
【００４５】
したがって、ＬＥＤアレイ４０Ｒ，４０Ｇ，４０Ｂを構成する複数のＬＥＤ５０ａ〜５０ｆの点灯状態を検出し、検出したＬＥＤ５０ａ〜５０ｆの点灯状態に基づいて点灯制御を行うことが可能となる。このため、ＬＥＤ５０ａ〜５０ｆに過電流が流れてＬＥＤ５０ａ〜５０ｆが破損することを防止できる。また、輝度補正を行うために通常、搭載されている光量検出センサ１４を活用することで、故障検出回路を新たに設ける必要がない。
【００４６】
故障検出回路が不要となり回路規模を小さくすることができるため、投写型映像表示装置１の小型化を図ることが可能となる。
【００４７】
さらに、点灯異常検出動作中はＬＥＤアレイ４０Ｒ，４０Ｇ，４０Ｂを構成する複数のＬＥＤ５０ａ〜５０ｆのうち、消灯するＬＥＤは１つであるため、点灯異常検出動作中における映像輝度の低下を最小限に抑えることができる。
【００４８】
図４のフローチャートのステップＳ１で説明したように、光源制御部３０は、複数のＬＥＤ５０ａ〜５０ｆを順次消灯させるように電流を制御する直前に、当該複数のＬＥＤ５０ａ〜５０ｆへの電流を低減するように制御するため、さらなるＬＥＤの故障を防止したうえで、ＬＥＤアレイ４０Ｒ，４０Ｇ，４０Ｂを構成する複数のＬＥＤ５０ａ〜５０ｆの点灯状態を検出し、検出したＬＥＤ５０ａ〜５０ｆの点灯状態に基づいて点灯制御を行うことができる。
【００４９】
＜実施の形態２＞
次に、実施の形態２に係る投写型映像表示装置１について説明する。図５は、実施の形態２に係る投写型映像表示装置１におけるＬＥＤアレイ４０Ｒ，４０Ｇ，４０Ｂの点灯異常検出動作のフローチャートである。なお、実施の形態２において、実施の形態１で説明したものと同一の構成要素については同一符号を付して説明は省略する。
【００５０】
実施の形態２に係る投写型映像表示装置１の構成は、実施の形態１の場合と同様である。また、実施の形態２における点灯異常検出動作は、ＬＥＤアレイの出力光量減少の検出をきっかけに、出力光量減少が検出されたＬＥＤアレイを構成するＬＥＤ５０ａ〜５０ｆについて消灯処理を行う点が、実施の形態１の場合と異なる。実施の形態２における図５のフローチャートは、実施の形態１における図４のフローチャートに対してステップＳ０を追加したものであるため、実施の形態１において説明した内容については説明を省略する。
【００５１】
通常はＬＥＤ５０ａ〜５０ｆの全てが点灯しており、光量検出センサ１４がその総出力光量をモニタリングしている。ここで例えば、ＬＥＤ５０ａが開放故障にて不点灯となった場合、ＬＥＤ５０ｂ〜５０ｆにはＬＥＤ５０ａに印加されていた電流が分散して印加される。しかしながら、ＬＥＤの電流に対する発光効率の関係に基づき、ＬＥＤアレイの総出力光量は元と同じにはならない。すなわち、光量検出センサ１４で検出される出力光量が減少する。光源制御部３０は、光量検出センサ１４が検出した光量情報を用いて出力光量の減少を検出する。
【００５２】
このとき、ＬＥＤ５０ｂ〜５０ｆに定格電流が印加されていた場合、電流が増加することで定格を超えてしまう。そこで、光源制御部３０は、光量検出センサ１４が検出した出力光量を用いて出力光量の変化を検出した際に、光源制御部３０はＬＥＤ５０ａ〜５０ｆのいずれか１つが開放故障したと判定し、ＬＥＤ駆動回路からの出力電流を５／６倍へ減少するように制御する。これにより、ＬＥＤ５０ａへの印加電流が減少し、残りのＬＥＤ５０ｂ〜５０ｆへの印加電流が定格電流を越えないように制御される。
【００５３】
光源制御部３０は、点灯異常検出動作を開始し、光量検出センサ１４の光量情報を用いて、ある色の出力光量の減少を検出した場合（ステップＳ０においてＹｅｓ）、出力光量の減少を検出した色のＬＥＤアレイへの印加電流Ｉｆを（ｉ−１）／ｉ倍へ減少させ（ステップＳ１）、個々のＬＥＤ５０ａ〜５０ｆに印加される電流が検出動作開始前と同じになるようにする。但し、光源制御部３０は出力光量の減少を検出しない場合は（ステップＳ０においてＮｏ）、ステップＳ０へ戻る。
【００５４】
次に、光量検出センサ１４はステップＳ１で調整した電流値での出力光量を検出し、光源制御部３０はその値を記憶する（ステップＳ２）。光源制御部３０は、対象となる色のｎ番目のＬＥＤを消灯させるように電流を制御する（ステップＳ３）。すなわち、光源制御部３０は、ＬＥＤ５０ａ〜５０ｆを順次消灯させるように電流を制御する直前に、当該ＬＥＤ５０ａ〜５０ｆへの電流が減少（低減）するように制御している。ここで、初期状態ではｎ＝１であるため、光源制御部３０は１番目のＬＥＤを消灯させる消灯処理を行う。
【００５５】
光源制御部３０は、光量検出センサ１４の光量情報を用いて出力光量の変化の有無を判定する（ステップＳ４）。より具体的には、光源制御部３０は、ＬＥＤの消灯の前後で出力光量の変化を判定（検出）することで、当該ＬＥＤの点灯異常を検出する。
【００５６】
光源制御部３０は、ＬＥＤの消灯の前後で出力光量が変化したことを判定した場合、すなわち、消灯前の出力光量よりも消灯後の出力光量が減少していると判定した場合は（ステップＳ４においてＹｅｓ）、光源制御部３０は、消灯処理の前において当該ＬＥＤについて点灯していたと判定する。
【００５７】
一方、出力光量の変化が検出されない場合、すなわち、消灯前の出力光量と消灯後の出力光量が同じである場合は（ステップＳ４においてＮｏ）、光源制御部３０は、消灯処理の前に当該ＬＥＤが故障などの要因で消灯していたと判定し、当該ＬＥＤへの電流供給を遮断し（ステップＳ５）、ステップＳ６〜ステップＳ９を実行してステップＳ３へ戻る。
【００５８】
光源制御部３０は、ステップＳ３〜ステップＳ９をＬＥＤの個数分（ｍ回）繰り返した後、電流値をＩｆ＝Ｉｆ０×ｉ／ｉ０（Ｉｆ０：点灯異常検出動作開始前の電流値、ｉ０：点灯異常検出動作開始時に点灯しているＬＥＤの個数）に設定する（ステップＳ１０）。
【００５９】
すなわち、ＬＥＤの点灯異常が検出されたため、光源制御部３０は、故障していないＬＥＤに印加される電流値が点灯異常検出動作開始前と同じになるようにＬＥＤアレイに印加する電流値ＩｆをＩｆ０×ｉ／ｉ０に制御する。なお、故障しているＬＥＤへの電流供給についてはステップＳ５で遮断されている。その後、点灯異常検出動作を終了する。
【００６０】
以上のように、実施の形態２に係る投写型映像表示装置１では、光源制御部３０は、光量検出センサ１４を用いて出力光量の減少を検出したときに、出力光量の減少が検出されたＬＥＤアレイを構成する複数のＬＥＤ５０ａ〜５０ｆについて順次消灯させるように電流を制御し、光量検出センサ１４を用いて複数のＬＥＤについての消灯の前後で出力光量の変化を検出することで、各ＬＥＤの点灯異常を検出し、点灯異常が検出されたＬＥＤへの電流の供給を遮断するように制御する。
【００６１】
したがって、ＬＥＤアレイ４０Ｒ，４０Ｇ，４０Ｂを構成する複数のＬＥＤ５０ａ〜５０ｆの点灯状態を検出し、検出したＬＥＤ５０ａ〜５０ｆの点灯状態に基づいて点灯制御を行うことが可能となる。このため、ＬＥＤ５０ａ〜５０ｆに過電流が流れてＬＥＤ５０ａ〜５０ｆが破損することを防止できる。また、輝度補正を行うために通常、搭載されている光量検出センサ１４を活用することで、故障検出回路を新たに設ける必要がない。
【００６２】
故障検出回路が不要となり回路規模を小さくすることができるため、投写型映像表示装置１の小型化を図ることが可能となる。
【００６３】
さらに、点灯異常検出動作中はＬＥＤアレイ４０Ｒ，４０Ｇ，４０Ｂを構成する複数のＬＥＤ５０ａ〜５０ｆのうち、消灯するＬＥＤは１つであるため、点灯異常検出動作中における映像輝度の低下を最小限に抑えることができる。
【００６４】
図５のフローチャートのステップＳ１で説明したように、光源制御部３０は、複数のＬＥＤ５０ａ〜５０ｆを順次消灯させるように電流を制御する直前に、当該複数のＬＥＤ５０ａ〜５０ｆへの電流を低減するように制御するため、さらなるＬＥＤの故障を防止したうえで、ＬＥＤアレイ４０Ｒ，４０Ｇ，４０Ｂを構成する複数のＬＥＤ５０ａ〜５０ｆの点灯状態を検出し、検出したＬＥＤ５０ａ〜５０ｆの点灯状態に基づいて点灯制御を行うことができる。
【００６５】
なお、本発明は、その発明の範囲内において、各実施の形態を自由に組み合わせたり、各実施の形態を適宜、変形、省略することが可能である。
【符号の説明】
【００６６】
１  投写型映像表示装置、１４  光量検出センサ、３０  光源制御部、４０Ｒ，４０Ｇ，４０Ｂ  ＬＥＤアレイ、５０ａ，５０ｂ，５０ｃ，５０ｄ，５０ｅ，５０ｆ  ＬＥＤ。
【図１】
2014211461.tif 000003
【図２】
2014211461.tif 000004
【図３】
2014211461.tif 000005
【図４】
2014211461.tif 000006
【図５】
2014211461.tif 000007